(57)【要約】【課題】水漏れ防止、フィット感、着用後のゴーグルの跡のつきにくさにおいて、特に優れたパッドを備えたスイミングゴーグルを提供する。【解決手段】ゴーグル本体１のフレーム３の周溝４に、Ａ３０°〜６０°の硬度を有する環状の中空樹脂体からなるパッド１１を嵌着したものとし、前記パッド１１の嵌着部１１ａが、前記フレーム３の周溝４の周長に対し、８８〜９８％の周長を有するものとし、前記パッド１１の中空部１１ｂの着用者の顔面に接触する部分の樹脂厚ｔを、０. ５〜１. ５ｍｍにしている。【選択図】図５
2014171717.tif 000002
【特許請求の範囲】
【請求項１】
ゴーグル本体（１）のフレーム（３）の周溝（４）に、Ａ３０°〜６０°の硬度を有する環状の中空樹脂体からなるパッド（１１）を嵌着したものとし、前記パッド（１１）の嵌着部（１１ａ）が、前記フレーム（３）の周溝（４）の周長に対し、８８〜９８％の周長を有するものとし、前記パッド（１１）の中空部（１１ｂ）の着用者の顔面に接触する部分の樹脂厚（ｔ）を、０. ５〜１. ５ｍｍにしていることを特徴とするスイミングゴーグル。
【請求項２】
前記パッド（１１）は、押出し成形したものの両端を接着したものとしたことを特徴とする請求項１記載のスイミングゴーグル。
【請求項３】
前記パッド（１１）は、前記中空樹脂体がＡ３５°〜５０°の硬度を有するものとしたことを特徴とする請求項１記載のスイミングゴーグル。
【請求項４】
前記パッド（１１）の嵌着部（１１ａ）は、前記フレーム（３）の周溝（４）の周長に対し９４〜９７％の周長を有するものとしたことを特徴とする請求項１記載のスイミングゴーグル。
【請求項５】
前記樹脂厚（ｔ）は、０．６〜１．０ｍｍであるものとしたことを特徴とする請求項１記載のスイミングゴーグル。
【請求項６】
前記パッド（１１）の中空部（１１ｂ）の断面形状は、中心線（Ｌ）に対して左右対称形状としたことを特徴とする請求項１記載のスイミングゴーグル。
【発明の詳細な説明】
【技術分野】
【０００１】
この発明は、水漏れがなく、フィット感が良く、着用後にゴーグルの跡がつきにくいパッドを備えたスイミングゴーグルに関するものである。
【背景技術】
【０００２】
スイミングゴーグルは、レンズフレームの接顔面の周囲にパッドが装着されており、このパッドが着用者の顔面に密着して防水性を保つようにしている。
【０００３】
従来のスイミングゴーグルのパッドとしては、発泡樹脂体からなるスポンジ式としたものや、非発泡樹脂体からなる吸着式としたものが存在する（特許文献１、２）。
【０００４】
このようなスイミングゴーグルのパッドでは、装着ベルトを強く締め付ければ、水漏れは効果的に防止できるが、フィット感が悪くなり、また着用後にゴーグルの跡がついてしまうので、さらなる改良が望まれていた。
【０００５】
そこで、さらに改良されたスイミングゴーグルのパッドとして、環状の中空樹脂体からなるエアクッション式としたものが案出されている（特許文献３〜５）。
【０００６】
このようにしたスイミングゴーグルのパッドは、スポンジ式や吸着式のパッドに比べ、装着ベルトをそれほど強く締めなくても、水漏れが効果的に防止でき、フィット感もよく、また着用後にゴーグルの跡もそれほど強くはつかないものとなった。
【先行技術文献】
【特許文献】
【０００７】
【特許文献１】特開２００６−８１９２３号公報
【特許文献２】特開２０１０−１７８７９４号公報
【特許文献３】登録実用新案第３０４８５１８号公報
【特許文献４】米国特許第５８９４６０６号公報
【特許文献５】米国特許第６３４３３８６号公報
【発明の概要】
【発明が解決しようとする課題】
【０００８】
しかしながら、上記したような環状の中空樹脂体からなるエアクッション式のパッドにおいては、その形状や厚み、材質、硬度などについて、特に考慮されていなかったため、水漏れ防止、フィット感、着用後のゴーグルの跡のつきにくさにおいて、未だ改良の余地が残されていた。
【０００９】
そこで、この発明は、エアクッション式のパッドにおいて、その形状や厚み、材質、硬度などについて、種々の検討を重ね、水漏れ防止、フィット感、着用後のゴーグルの跡のつきにくさにおいて、特に優れたパッドを備えたスイミングゴーグルを提供することを目的としてなされたものである。
【課題を解決するための手段】
【００１０】
この発明のスイミングゴーグルは、ゴーグル本体１のフレーム３の周溝４に、Ａ３０°〜６０°の硬度を有する環状の中空樹脂体からなるパッド１１を嵌着したものとし、前記パッド１１の嵌着部１１ａが、前記フレーム３の周溝４の周長に対し、８８〜９８％の周長を有するものとし、前記パッド１１の中空部１１ｂの着用者の顔面に接触する部分の樹脂厚ｔを、０. ５〜１. ５ｍｍにしている。
【００１１】
この発明のスイミングゴーグルにおいて、前記パッド１１は、押出し成形したものの両端を接着したものとしている。
【００１２】
この発明のスイミングゴーグルにおいて、前記パッド１１は、前記中空樹脂体がＡ３５°〜５０°の硬度を有するものとするのが好ましい。
【００１３】
この発明のスイミングゴーグルにおいて、前記パッド１１の嵌着部１１ａは、前記フレーム３の周溝４の周長に対し９４〜９７％の周長を有するものとするのが好ましい。
【００１４】
この発明のスイミングゴーグルにおいて、前記樹脂厚ｔは、０．６〜１．０ｍｍであるものとするのが好ましい。
この発明のスイミングゴーグルにおいて、前記パッド１１の中空部１１ｂの断面形状は、中心線Ｌに対して左右対称形状としている。
【発明の効果】
【００１５】
この発明のスイミングゴーグルは、以上に述べたように構成されており、着用者の眼部周囲の顔面との間にわずかな隙間も生じることなく、密閉性を完全に保つことができ、水漏れを防止することができるものとなった。
【００１６】
さらに、この発明のスイミングゴーグルは、中空部にわずかな皺が生じたりすることもないので、密閉性をより完全に保つことができるものとなり、水漏れ防止、フィット感、着用後のゴーグルの跡のつきにくさにおいて、従来品に比べ特に優れたものとなった。
【図面の簡単な説明】
【００１７】
【図１】この発明のスイミングゴーグルの一実施形態を示す斜視図である。
【図２】図１に示すこの発明のスイミングゴーグルのゴーグル本体の正面図である。
【図３】図１に示すこの発明のスイミングゴーグルのゴーグル本体の平面図である。
【図４】図２中のＡ−Ａ線によるこの発明のスイミングゴーグルのゴーグル本体の断面図である。
【図５】図４中の円で囲んだ部分を拡大して示す断面図である。
【図６】この発明のスイミングゴーグル着用時の顔面への加圧分布を示す図である。
【図７】従来のスイミングゴーグル着用時の顔面への加圧分布を示す図である。
【発明を実施するための形態】
【００１８】
以下、この発明のスイミングゴーグルを実施するための形態について、詳細に説明する。
【００１９】
この発明のスイミングゴーグルは、図１に示したように、透明または半透明のポリカーボネート等の硬質合成樹脂からなる左右一対のゴーグル本体１を備えている。このゴーグル本体１は、図２〜５に示したように、レンズ２と、レンズ２の周縁より後退するフレーム３を有し、このフレーム３の後端側に、内方側に向けて周溝４を設け、この周溝４の後面を形成するようにしてフランジ５が設けられている。なお、前記ゴーグル本体１は、レンズ２とフレーム３を一体成形したいわゆるアイカップ形式にしているが、レンズ２とフレーム３を別体として成形した形式にしてもよい。
【００２０】
前記ゴーグル本体１の内端部には、貫通孔６を有したれブラケット７が、フレーム３から突出するようにして設けられている。さらに、前記ゴーグル本体１の外端部には、フレーム３から外方向に突出すようにしてベルト取付部８が設けられている。
【００２１】
前記ブラケット７の貫通孔６には、可撓性を有する連結体９の係合部（図示せず）が係合されることにより、左右一対のゴーグル本体１が連結されている。さらに、前記ベルト取付部８には、伸縮自在の締付バンド１０の両端部がそれぞれ長さ調節可能に連結されている。
【００２２】
前記ゴーグル本体１のフレーム３の周溝４には、環状の中空樹脂体からなるパッド１１を嵌着している。このパッド１１は、前記周溝４に外嵌される環状の嵌着部１１ａと、この嵌着部１１ａと一体成形される環状の中空部１１ｂとからなる。そして、このパッド１１の中空体１１ｂは、着用者の眼部周囲の顔面に沿って接触するように形成している。
【００２３】
前記パッド１１は、シリコーン、スチレン系エラストマー、ウレタン系エラストマー、合成ゴム、軟質ポリ塩化ビニルなどで押出し成形したものの両端を接着して、環状の中空樹脂体としている。このようにすることにより、前記パッド１１は、成形跡が小さく綺麗なものとなる。そして、この中空樹脂体は、Ａ３０°〜６０°の硬度を有するものとしている。その中でも、この中空樹脂体の硬度は、Ａ３５°〜５０°とするのが好ましく、Ａ３０°未満では柔らかすぎて目尻、目頭で折れ皺が入るし、Ａ６０°を超えると硬すぎてクッション性が無く、また折れ皺も入りやすくなる。
【００２４】
そして、前記パッド１１の嵌着部１１ａは、前記フレーム３の周溝４の周長に対し、８８〜９８％の周長を有するものとしている。その中でも、この周長は９４〜９７％にするのが好ましく、８８％未満では着用時の応力、また着用時に継続的な応力により、嵌着部分が破断しやすく、９８％を超えると目尻、目頭のアールの小さい部分で折れ皺が発生してしまう。
【００２５】
さらに、前記パッド１１の中空部１１ｂは、着用者の顔面に接触する部分の樹脂厚ｔを０. ５〜１. ５ｍｍにしている。その中でも、この樹脂厚ｔは０. ６〜１. ０ｍｍにするのが好ましく、０. ５ｍｍ未満では押出し成形での形状形成が困難で、１. ５ｍｍを超える場合は厚すぎて、クッション性が無くなる。また、０. ５ｍｍ未満のような薄い場合は、柔らかすぎて目尻、目頭で折れ皺が入るし、１. ５ｍｍを超えるような厚い場合も、硬すぎて、折れ皺が入る。
【００２６】
また、前記パッド１１の中空部１１ｂの断面形状は、図５に示したように、中心線Ｌに対して左右対称形状としている。このようにすることにより、前記パッド１１をゴーグル本体１に嵌着する場合に、その嵌着がし易くなったり、嵌着した後に中空部１１ｂに皺がよったりすることがなくなる。
【００２７】
以上のように構成されたこの発明のスイミングゴーグルは、着用時にパッド１１の中空部１１ｂが着用者の眼部周囲の顔面を押圧することにより、押圧力の強い部分が弱い部分に比べてより変形するが、中空部１１ｂ全体では一定の圧力になるため、部分的に強く圧迫されることはなく、着用者の顔面へのフィット性がより向上し、着用感を悪くするようなことがない。しかも、前記パッド１１の中空部１１ｂは、着用者の眼部周囲の顔面との間にわずかな隙間も生じることなく、密閉性を完全に保つことができ、水漏れすることがないものとなる。
【００２８】
次に、この発明のスイミングゴーグルを着用した場合の着用者の顔面への加圧面積や加圧力等について説明する。
【００２９】
表１は、特許文献１に示された従来のスイミングゴーグルを着用した場合と、この発明のスイミングゴーグルを着用した場合の着用者の顔面への加圧面積、平均加圧力、最大加圧力、荷重、測定面積、加圧分布を数値で示したものであり、図６、７は、前記表１の加圧分布をグラデーションで示したものである。
【００３０】
【表１】
2014171717.tif 000003
【００３１】
表１によると、着用者の顔面への加圧面積は、従来のスイミングゴーグルが３８３ｍｍ２ であったのが、この発明のスイミングゴーグルでは２６０ｍｍ２ になったので、約３２％少なくなった。
【００３２】
特に、０. １０Ｍｐａ以上の着用者の顔面への加圧面積は、従来のスイミングゴーグルが１１５ｍｍ２ であったのが、この発明のスイミングゴーグルでは３２ｍｍ２ になったので、約７２％少なくなったことになる。
【００３３】
そして、着用者の顔面への平均加圧力は、従来のスイミングゴーグルが０. ０９Ｍｐａであったのが、この発明のスイミングゴーグルでは０. ０７Ｍｐａになったので、約２２％小さくなった。
【００３４】
さらに、着用者の顔面への最大加圧力は、従来のスイミングゴーグルが０. ２２Ｍｐａであったのが、この発明のスイミングゴーグルでは０. １９Ｍｐａになったので、約１４％小さくなった。
【００３５】
また、着用者の顔面への荷重は、従来のスイミングゴーグルが３３Ｎであったのが、この発明のスイミングゴーグルでは１８Ｎになったので、約４５％小さくなった。
【００３６】
以上に述べたように、この発明のスイミングゴーグルは、パッド１１の中空樹脂体の硬度、パッド１１の嵌着部１１ａの周長、パッド１１の中空部１１ｂの樹脂厚ｔなどを、最適なものにしたので、中空部１１ｂにわずかな皺が生じたりすることもなく、密閉性をより完全に保つことができるものとなり、水漏れ防止、フィット感、着用後のゴーグルの跡のつきにくさにおいて、従来品に比べ特に優れたものとなった。
【符号の説明】
【００３７】
１  ゴーグル本体
３  フレーム
４  周溝
１１  パッド
１１ａ  嵌着部
１１ｂ  中空部
ｔ  樹脂厚
【図１】
2014171717.tif 000004
【図２】
2014171717.tif 000005
【図３】
2014171717.tif 000006
【図４】
2014171717.tif 000007
【図５】
2014171717.tif 000008
【図６】
2014171717.tif 000009
【図７】
2014171717.tif 000010